(57)【要約】【課題】被照射面上における明部の発生を抑制できる発光装置を提供すること。【解決手段】発光装置は、発光素子と、光束制御部材とを有する。光束制御部材は、入射面と、出射面と、裏面と、脚部と、拡散部とを有する。凹部の開口縁部は、発光素子の表側の面より裏側に位置する。脚部の径方向内側の内側基部は、径方向外側の外側基部より裏側に位置する。脚部の径方向外側の側面は、中心軸から離れるにつれて表側に近づくように傾斜した部分出射面を含む。発光素子の側面から出射された光の一部は、入射面で入射した後、他の面を経由せずに部分出射面から外部に出射され、拡散部から再度光束制御部材の内部に入射する。【選択図】図７
2019046649.tif 000002
【特許請求の範囲】
【請求項１】
発光素子と、前記発光素子から出射された光の配光を制御する光束制御部材とを有する発光装置であって、
前記光束制御部材は、
前記光束制御部材の中心軸と交わるように裏側に開口した凹部の内面であって、前記発光素子から出射された光を入射させる入射面と、
前記中心軸と交わるように表側に配置され、前記入射面で入射した光を外部に出射させる出射面と、
前記凹部の開口縁部から離れるように形成された裏面と、
前記裏面から裏側に向けて突出した脚部と、
前記脚部より径方向外側の前記裏面に配置され、到達した光を拡散させる拡散部と、を有し、
前記凹部の開口縁部は、前記発光素子の表側の面より裏側に位置し、
前記脚部の径方向内側の内側基部は、径方向外側の外側基部より裏側に位置し、
前記脚部の径方向外側の側面は、前記中心軸から離れるにつれて表側に近づくように傾斜した部分出射面を含み、
前記発光素子の側面から出射された光の一部は、前記入射面で入射した後、他の面を経由せずに前記部分出射面から外部に出射され、前記拡散部から再度前記光束制御部材の内部に入射する、
発光装置。
【請求項２】
前記裏面には、前記中心軸側に配置された第１内面と、前記第１内面より前記中心軸から離れて配置された第２内面とを含み、前記凹部の開口縁部を取り囲むように配置された円環状の環状溝が配置されており、
前記第２内面には、第１傾斜面と、第２傾斜面と、前記第１傾斜面および前記第２傾斜面の間に配置された稜線とをそれぞれ含み、前記中心軸から離れるにつれて裏側に向かうように傾斜した複数の凸条が配置されており、
前記拡散部は、前記第１内面の少なくとも一部を含む、
請求項１に記載の発光装置。
【請求項３】
請求項１または請求項２に記載の発光装置と、
前記発光装置から出射された光を拡散させつつ透過させる光拡散部材と、を有する、
面光源装置。
【請求項４】
請求項３に記載の面光源装置と、
前記面光源装置から出射された光を照射される表示部材と、を有する、
表示装置。
【発明の詳細な説明】
【技術分野】
【０００１】
本発明は、発光装置、面光源装置および表示装置に関する。
【背景技術】
【０００２】
液晶表示装置などの透過型画像表示装置では、バックライトとして直下型の面光源装置を使用することがある。近年、光源として複数の発光素子を有する、直下型の面光源装置が使用されるようになってきている。
【０００３】
例えば、直下型の面光源装置は、基板（回路基板）、複数の発光素子および複数の光束制御部材（レンズ）を含む発光装置（発光モジュール）と、光拡散部材とを有する。発光素子は、例えば白色発光ダイオードなどの発光ダイオード（ＬＥＤ）である。複数の発光素子は、基板上に格子状に配置されている。各発光素子の上には、各発光素子から出射された光を基板の面方向に拡げる光束制御部材が配置されている。光束制御部材から出射された光は、光拡散部材により拡散され、被照射部材（例えば液晶パネル）を面状に照らす（例えば、特許文献１参照）。
【０００４】
特許文献１に記載の発光装置は、基板と、複数の発光素子と、複数の光束制御部材とを含む。光束制御部材は、発光素子に対向して配置された入射面と、入射面の反対側に配置された出射面と、入射面および出射面を繋ぐフランジと、入射面側の裏面に形成された円柱形状の脚部とを有する。
【０００５】
発光素子から出射された光は、光束制御部材により光拡散板の広範囲を照らすように拡げられる。各光束制御部材から光拡散板に到達した光は、拡散されつつ光拡散板を透過することで面状の被照射部材を均一に照らす。
【先行技術文献】
【特許文献】
【０００６】
【特許文献１】特表２０１５−５３３０２７号公報
【発明の概要】
【発明が解決しようとする課題】
【０００７】
しかしながら、特許文献１に記載の発光装置では、発光素子の光軸に対して出射角度の大きな光は、入射面で入射した後、脚部の側面から一度出射され、再度裏面から入射して、出射面から光束制御部材の直上に向けて出射されることがありうる。このように、特許文献１に記載の発光装置では、発光素子から出射された光が光束制御部材の直上に向かう光となってしまうため、光拡散板上に明部が生じてしまうおそれがある。
【０００８】
そこで、本発明の目的は、被照射面上における明部の発生を抑制できる発光装置を提供することである。また、本発明の別の目的は、当該発光装置を有する面光源装置および表示装置を提供することである。
【課題を解決するための手段】
【０００９】
本発明に係る発光装置は、発光素子と、前記発光素子から出射された光の配光を制御する光束制御部材とを有する発光装置であって、前記光束制御部材は、前記光束制御部材の中心軸と交わるように裏側に開口した凹部の内面であって、前記発光素子から出射された光を入射させる入射面と、前記中心軸と交わるように表側に配置され、前記入射面で入射した光を外部に出射させる出射面と、前記凹部の開口縁部から離れるように形成された裏面と、前記裏面から裏側に向けて突出した脚部と、前記脚部より径方向外側の前記裏面に配置され、到達した光を拡散させる拡散部と、を有し、前記凹部の開口縁部は、前記発光素子の表側の面より裏側に位置し、前記脚部の径方向内側の内側基部は、径方向外側の外側基部より裏側に位置し、前記脚部の径方向外側の側面は、前記中心軸から離れるにつれて表側に近づくように傾斜した部分出射面を含み、前記発光素子の側面から出射された光の一部は、前記入射面で入射した後、他の面を経由せずに前記部分出射面から外部に出射され、前記拡散部から再度前記光束制御部材の内部に入射する。
【００１０】
本発明に係る面光源装置は、本発明に係る発光装置と、前記発光装置から出射された光を拡散させつつ透過させる光拡散部材と、を有する。
【００１１】
本発明に係る表示装置は、本発明に係る面光源装置と、前記面光源装置から出射された光を照射される表示部材と、を有する。
【発明の効果】
【００１２】
本発明によれば、被照射面上における明部の発生を抑制できる発光装置、面光源装置および表示装置を提供できる。
【図面の簡単な説明】
【００１３】
【図１】図１Ａ、Ｂは、本発明の一実施の形態に係る面光源装置の構成を示す図である。
【図２】図２Ａ、Ｂは、面光源装置の構成を示す断面図である。
【図３】図３は、面光源装置の部分拡大断面図である。
【図４】図４は、光束制御部材を裏側から見た斜視図である。
【図５】図５Ａ〜Ｄは、光束制御部材の構成を示す図である。
【図６】図６Ａ、Ｂは、脚部の構成を示す図である。
【図７】図７Ａ、Ｂは、実施の形態に係る発光装置における光路図である。
【図８】図８Ａ、Ｂは、比較例に係る発光装置における光路図である。
【図９】図９Ａ、Ｂは、変形例に係る脚部の構成を示す図である。
【図１０】図１０Ａ、Ｂは、変形例に係る発光装置における光路図である。
【発明を実施するための形態】
【００１４】
以下、本実施の形態に係る発光装置、面光源装置および表示装置について、添付した図面を参照して説明する。以下の説明では、本実施の形態に係る面光源装置の代表例として、液晶表示装置のバックライトなどに適する、発光装置が格子状に配置されている面光源装置について説明する。
【００１５】
（面光源装置および発光装置の構成）
図１〜図３は、本発明の一実施の形態に係る面光源装置１００の構成を示す図である。図１Ａは、本発明の一実施の形態に係る面光源装置１００の平面図であり、図１Ｂは、正面図である。図２Ａは、図１Ｂに示されるＡ−Ａ線の断面図であり、図２Ｂは、図１Ａに示されるＢ−Ｂ線の断面図である。図３は、面光源装置１００の部分拡大断面図である。
【００１６】
図１Ａ、Ｂ、図２Ａ、Ｂおよび図３に示されるように、面光源装置１００は、筐体１１０と、複数の発光装置２００と、光拡散板（被照射面）１２０とを有する。本発明の面光源装置１００は、液晶表示装置のバックライトなどに適用できる。また、図１Ｂに示されるように、面光源装置１００は、液晶パネルなどの表示部材（被照射部材）１０７（図１Ｂにおいて、点線で示している）と組み合わせることで、表示装置１００’としても使用できる。
【００１７】
複数の発光装置２００は、筐体１１０の底板１１２上の基板２１０に格子状（本実施の形態では、正方格子状）に配置されている。底板１１２の内面は、拡散反射面として機能する。また、筐体１１０の天板１１４には、開口部が設けられている。光拡散板１２０は、この開口部を塞ぐように配置されており、発光面として機能する。発光面の大きさは、例えば約４００ｍｍ×約７００ｍｍである。
【００１８】
複数の発光装置２００は、それぞれ基板２１０上に一定の間隔で配置されている。複数の基板２１０は、それぞれ筐体１１０の底板１１２上の所定の位置に固定されている。本実施の形態では、発光素子２２０の発光中心（上面の中心）が正方格子状に位置するように、複数の発光装置２００が配置されている。複数の発光装置２００は、それぞれ発光素子２２０および光束制御部材３００を有する。
【００１９】
発光素子２２０は、面光源装置１００の光源であり、基板２１０上に実装されている。発光素子２２０は、例えば白色発光ダイオードなどの発光ダイオード（ＬＥＤ）である。発光素子２２０は、その発光中心（上面の中心）が光束制御部材３００の中心軸ＣＡ上に位置するように配置されている（図３参照）。発光素子２２０は、実装が容易であり、かつ、発光効率が高い観点から、チップ・オン・ボード（ＣＯＢ）型のＬＥＤであることが好ましい。
【００２０】
ＣＯＢ型のＬＥＤは、従来のＬＥＤよりも多くの光を側方方向に出射することが知られている。ＣＯＢ型のＬＥＤなどの発光素子２２０では、側方方向に多くの光を出射するため、発光素子２２０の側面方向に出射する光をより多く光束制御部材３００に入射させる必要がある。よって、発光素子２２０は、その上面（上側の発光面）が後述の凹部３１０の下端（開口縁部）よりも表側（光拡散板１２０側）に配置されることが好ましい。すなわち、発光素子２２０は、凹部３１０の空間内に発光素子２２０の少なくとも一部が入り込むように配置される。
【００２１】
光束制御部材３００は、レンズであり、基板２１０上に固定されている。光束制御部材３００は、発光素子２２０から出射された光の配光を中心軸ＣＡに対して径方向外側に広げように制御する。光束制御部材３００は、その中心軸ＣＡが発光素子２２０の光軸ＯＡに一致するように、発光素子２２０の上に配置されている（図３参照）。なお、後述する光束制御部材３００の入射面３１０および出射面３２０は回転対称であり、かつこれらの回転軸は発光素子２２０の光軸ＯＡと一致する。「光束制御部材の中心軸ＣＡ」とは、入射面３１０および出射面３２０の回転軸を意味する。また、「発光素子の光軸ＯＡ」とは、発光素子２２０からの立体的な出射光束の中心の光線を意味する。
【００２２】
光束制御部材３００は、射出成形によって一体成形されうる。光束制御部材３００の材料は、所望の波長の光を通過させ得る材料であればよい。例えば、光束制御部材３００の材料は、ポリメタクリル酸メチル（ＰＭＭＡ）やポリカーボネート（ＰＣ）、エポキシ樹脂（ＥＰ）、シリコーン樹脂などの光透過性樹脂、またはガラスである。本実施の形態に係る面光源装置１００は、光束制御部材３００の構成に主たる特徴を有する。そこで、光束制御部材３００の構成については、別途詳細に説明する。
【００２３】
光拡散板１２０は、光拡散性を有する板状の部材であり、発光装置２００からの出射光を拡散させつつ透過させる。光拡散板１２０は、複数の発光装置２００の上に基板２１０と略平行に空気層を介して配置されている。通常、光拡散板１２０は、液晶パネルなどの被照射部材とほぼ同じ大きさである。例えば、光拡散板１２０は、ポリメタクリル酸メチル（ＰＭＭＡ）、ポリカーボネート（ＰＣ）、ポリスチレン（ＰＳ）、スチレン・メチルメタクリレート共重合樹脂（ＭＳ）などの光透過性樹脂により形成される。光拡散性を付与するため、光拡散板１２０の表面に微細な凹凸が形成されているか、または光拡散板１２０の内部にビーズなどの光拡散子が分散していてもよい。
【００２４】
本発明に係る面光源装置１００では、各発光素子２２０から出射された光は、光束制御部材３００により光拡散板１２０の広範囲を照らすように拡げられる。各光束制御部材３００から光拡散板１２０に到達した光は、拡散されつつ光拡散板１２０を透過する。その結果、本発明に係る面光源装置１００は、面状の被照射部材（例えば液晶パネル）を均一に照らすことができる。
【００２５】
（光束制御部材の構成）
図４、図５Ａ〜Ｄおよび図６Ａ、Ｂは、本実施の形態に係る光束制御部材３００の構成を示す図である。図４は、光束制御部材３００を裏側から見た斜視図である。図５Ａは、光束制御部材３００の平面図であり、図５Ｂは、左側面図であり、図５Ｃは、底面図であり、図５Ｄは、図５Ａに示されるＡ−Ａ線の断面図である。図６Ａは、脚部３４０の底面図であり、図６Ｂは、図６Ａに示されるＡ−Ａ線の断面図である。
【００２６】
図４および図５Ａ〜Ｄに示されるように、光束制御部材３００は、入射面３１０と、出射面３２０と、裏面３３０と、脚部３４０とを有する。また、光束制御部材３００は、光束制御部材３００の取り扱いを容易にするための鍔部３５０を有していてもよい。
【００２７】
入射面３１０は、発光素子２２０から出射された光のうちの大部分の光を、その光の進行方向を制御しつつ光束制御部材３００の内部に入射させる。入射面３１０は、裏側に向けて開口した凹部３１２の内面である。凹部３１２は、光束制御部材３００の中心軸ＣＡ（発光素子２２０の光軸ＯＡ）と交わるように裏面３３０の中央部に開口している（図５Ｃ、Ｄ参照）。すなわち、入射面３１０は、中心軸ＣＡ（光軸ＯＡ）と交わるように配置されている。入射面３１０は、光束制御部材３００の中心軸ＣＡと交わり、中心軸ＣＡを回転軸とした回転対称（本実施の形態では円対称）である。凹部３１２の開口縁部は、発光素子２２０の下側端部より表側に位置してもよいし、下側端部と同じ位置でもよい。
【００２８】
出射面３２０は、光束制御部材３００の表側（光拡散板１２０側）に配置されている。出射面３２０は、光束制御部材３００内に入射した光を、進行方向を制御しつつ外部に出射させる。出射面３２０は、中心軸ＣＡと交わり、中心軸ＣＡを回転軸とした回転対称（本実施の形態では円対称）である。
【００２９】
出射面３２０の形状は、適宜設定できる。本実施の形態では、出射面３２０は、中心軸ＣＡを中心とする所定範囲に位置する第１出射面３２０ａと、第１出射面３２０ａの周囲に連続して形成される第２出射面３２０ｂと、第２出射面３２０ｂと鍔部３５０とを接続する第３出射面３２０ｃとを有する（図５Ｄ参照）。第１出射面３２０ａは、裏側に凸の曲面である。第２出射面３２０ｂは、第１出射面３２０ａの周囲に位置する、表側に凸の滑らかな曲面である。第２出射面３２０ｂの形状は、円環状の凸形状である。第３出射面３２０ｃは、第２出射面３２０ｂの周囲に位置する曲面である。
【００３０】
裏面３３０は、光束制御部材３００の裏側に位置し、凹部３１２の開口縁部に接続され、凹部３１２の開口縁部から離れるように形成された面である。裏面３３０の形状は、適宜設定できる。裏面３３０は、平面であってもよいし、シボ面であってもよいし、その他の形状が付されていてもよい。本実施の形態では、裏面３３０には、複数の凸条３３３を有する環状溝３３４が配置されている。
【００３１】
環状溝３３４は、凹部３１２（入射面３１０）を囲むように裏面３３０に形成されている。環状溝３３４は、中心軸ＣＡを軸とした回転対称である。環状溝３３４は、中心軸ＣＡ側に配置された第１内面３３１と、中心軸ＣＡに対して第１内面３３１より離れて配置された第２内面３３２と、を含む。また、第２内面３３２には、複数の凸条３３３が配置されている。
【００３２】
第１内面３３１は、中心軸ＣＡと平行となるように配置されていてもよいし、中心軸ＣＡから離れるにつれて表側に向かうように傾斜していてもよい。本実施の形態では、第１内面３３１は、中心軸ＣＡから離れるにつれて表側に近づくように傾斜している。また、本実施の形態では、第１内面３３１の少なくとも一部は、拡散部でもある。第１内面３３１は、平滑面であってもよいし、粗面化された面であってもよい。本実施の形態では、第１内面３３１は、全面が粗面化されている。
【００３３】
拡散部は、後述する脚部３４０から出射し、再度光束制御部材３００に入射する光を拡散させる。拡散部の形状は、到達した光が屈折することにより、その光の進行方向が変化することができれば、適宜選択できる。拡散部は、粗面化されていてもよいし、他の形状が配置されていてもよい。本実施の形態では、第１内面３３１が拡散部として粗面化されている。
【００３４】
第２内面３３２は、第１内面３３１を囲むように光束制御部材３００の裏側に形成されている。第２内面３３２は、中心軸ＣＡから離れるにつれて裏側に近づくように傾斜している。
【００３５】
裏面３３０における環状溝３３４の位置は、適宜設定できる。第２内面３３２の位置は、入射面３３１で入射し、出射面３２０で内部反射した光が多く到達する領域に形成されていることが好ましい。出射面３２０で内部反射した光の到達位置は、出射面３２０の形状など様々な要因により変化するため、光束制御部材３００に応じて適宜設定される。
【００３６】
複数の凸条３３３は、平面状の第１傾斜面３３６と、平面状の第２傾斜面３３７と、第１傾斜面３３６と第２傾斜面３３７の間に配置された稜線３３８とをそれぞれ有している。稜線３３８は、中心軸ＣＡから離れるにつれて、裏面側に近づくように傾斜している。凸条３３３の稜線３３８に垂直な断面形状の例には、三角形状、頂部にＲ面取を施した三角形状、半円形状、などが含まれる。本実施の形態では、凸条３３３の稜線３３８に垂直な断面形状は、三角形状である。すなわち、本実施の形態では、第１傾斜面３３６および第２傾斜面３３７は、稜線３３８で接続されている。各凸条３３３は、全反射プリズムのように機能する。複数の凸条３３３は、中心軸ＣＡに対して回転対称（凸条３３３の数をｎとしたときｎ回対称）となるように配置されている。
【００３７】
脚部３４０は、光束制御部材３００を基板２１０に位置決めして固定する。脚部３４０の配置は、前述の機能を発揮できれば適宜設定できる。本実施の形態では、脚部３４０は、環状溝３３４の第１内面３３１に、周方向に等間隔となるように配置されている。また、脚部３４０の数も適宜設定できる。本実施の形態では、脚部３４０の数は、３個である。
【００３８】
図６Ａ、Ｂに示されるように、脚部３４０は、裏面３３０側の台座部３４１と、台座部３４１に配置された接触部３４２とを有する。本実施の形態では、台座部３４１の形状は略円錐台形状であり、接触部３４２の形状は円柱形状である。中心軸ＣＡおよび脚部３４０を含む仮想断面における台座部３４１の径方向外側の面は、部分出射面３４３として機能する。部分出射面３４３は、発光素子２２０の側面から出射し、入射面３１２で入射した後、他の面を経由せずに到達した光を上方に向けて出射させる。また、台座部３４１の径方向内側の側面の形状は、適宜選択できる。本実施の形態では、台座部３４１の径方向内側の側面の形状は、中心軸ＣＡから離れるにつれて、裏側に向かうように傾斜した平滑面である。
【００３９】
また、前記仮想断面において、脚部３４０の径方向内側の内側基部は、径方向外側の外側基部より裏側に位置している。中心軸ＣＡに沿う方向において、脚部３４０の内側基部および外側基部の位置は、発光素子２２０から出射される光と、入射面３１０の形状とに応じて適宜設定できる。たとえば、接触部３４２の接触面を基板２１０に当接させ、接着剤などで固定することで、光束制御部材３００を基板２１０に対して固定できる。
【００４０】
（配光特性）
次に、本実施の形態に係る発光装置２００における光路についてシミュレーションした。また、比較のため、部分出射面３４３を有さない比較例に係る発光装置２００Ａにおける光路についても同様にシミュレーションした。
【００４１】
図７Ａ、Ｂおよび図８Ａ、Ｂは、発光装置２００、２００Ａにおける光路を示している。図７Ａは、本実施の形態に係る発光装置２００の裏側から見た光路図であり、図７Ｂは、中心軸ＣＡを含む断面における光路図である。図８Ａは、比較例に係る発光装置２００Ａの裏側から見た光路図であり、図８Ｂは、中心軸ＣＡを含む断面における光路図である。図７Ａ、Ｂおよび図８Ａ、Ｂでは、光路を示すため、ハッチングを省略している。また、説明の便宜上、図７Ａ、Ｂおよび図８Ａ、Ｂでは、発光素子２２０の側面から出射された光のみの光路を示している。
【００４２】
図７Ａ、Ｂに示されるように、本実施の形態に係る発光装置２００では、発光素子２２０の側面から出射された光は、入射面３１０で光束制御部材３００の内部に入射する。次いで、入射面３１０で入射した光のうち、一部の光は、脚部３４０の部分出射面３４３から出射される。そして、部分出射面３４３から出射された光は、拡散部（第１内面３３１）で再度光束制御部材３００の内部に入射する。このとき、部分出射面３４３から出射された光は、拡散部で拡散される。拡散部で様々な方向に進行するように拡散された光は、出射面３２０から様々な方向に向けて出射される。なお、特に図示しないが、発光素子２２０の上面から出射された光のうち、一部の光は、入射面３１０で入射して、出射面３２０で中心軸ＣＡに対して拡がるように制御された後に出射される。また、発光素子２２０の上面から出射された光のうち、他の一部の光は、入射面３１０で入射して、出射面３２０で内部反射する。出射面３２０で内部反射した光は、凸条３３３で径方向外側に向けて反射され、外部に出射される。よって、脚部３４０に入射した光が拡散部によって拡散されるため、発光装置２００の上部に明部が生じにくい。
【００４３】
一方、図８Ａ、Ｂに示されるように、比較例の発光装置２００Ａでは、発光素子２２０の側面から出射された光は、入射面３１０Ａで光束制御部材３００Ａの内部に入射する。次いで、入射面３１０Ａで入射した光のうち、一部の光は、脚部３４０Ａの側面から外部に出射される。そして、側面から出射された光は、脚部３４０Ａ側面の凸レンズ効果によって集光するように屈折されて進行し、凸条３３３Ａに到達する。凸条３３３Ａに到達した光は、再度光束制御部材３００Ａの内部に入射する。このとき、第１傾斜面３３６Ａで入射した光と、第２傾斜面３３７Ａで入射した光とは、交差するように屈折すると共に、光束制御部材３００Ａの上方に向けて屈折される。再度光束制御部材３００Ａの内部に入射した光は、出射面３２０Ａから光束制御部材３００Ａの上方に向けて出射される。よって、脚部３４０に入射した光が上方に束となって出射されるため、発光装置２００の上部に明部が生じてしまう。
【００４４】
［変形例］
（光束制御部材の構成）
本実施の形態の変形例に係る面光源装置は、発光装置５００における脚部４４０の構成のみが実施の形態１に係る面光源装置と異なる。そこで、面光源装置１００と同様の構成については、同様の符号を付してその説明を省略する。図９Ａは、脚部４４０の底面図であり、図９Ｂは、図９Ａに示されるＡ−Ａ線の断面図である。
【００４５】
図９Ａ、Ｂに示されるように、変形例に係る光束制御部材４００の脚部４４０は、裏面３３０側の台座部４４１と、台座部４４１に配置された接触部３４２とを有する。台座部４４１は、底面の形状が略矩形の略角錐台柱状に形成されている。本実施の形態においても、脚部４４０の径方向外側の側面には、中心軸ＣＡから離れるにつれて、表側に近づくように傾斜した部分出射面４４３が配置されている。脚部３４０の径方向内側の側面は、中心軸ＣＡに沿った平面である。
【００４６】
（配光特性）
次に、変形例に係る発光装置５００における光路についてシミュレーションした。図１０Ａ、Ｂは、本実施の形態の変形例に係る発光装置５００における光路を示している。図１０Ａは、本実施の形態に係る発光装置５００の裏側から見た光路図であり、図１０Ｂは、中心軸ＣＡを含む断面における光路図である。図１０Ａ、Ｂでは、光路を示すため、ハッチングを省略している。また、図１０Ａ、Ｂでは、説明の便宜上、発光素子２２０の側面から出射された光のみの光路を示している。
【００４７】
図１０Ａ、Ｂに示されるように、本実施の形態に係る発光装置５００では、発光素子２２０の側面から出射された光は、入射面３１０で光束制御部材４００の内部に入射する。次いで、入射面３１０で入射した光のうち、一部の光は、脚部４４０の部分出射面４４３から出射される。そして、部分出射面４４３から出射された光は、拡散部（第１内面３３１）で再度光束制御部材４００の内部に入射する。このとき、部分出射面４４３から出射された光は、拡散部で拡散される。拡散部で様々な方向に進行するように拡散された光は、出射面３２０から様々な方向に向けて出射される。なお、特に図示しないが、発光素子２２０の上面から出射された光のうち、一部の光は、入射面３１０で入射して、中心軸ＣＡに対して拡がるように制御された後、出射面３２０から出射される。また、発光素子２２０の上面から出射された光のうち、他の一部の光は、入射面３１０で入射して、出射面３２０で内部反射する。出射面３２０で内部反射した光は、凸条３３３で径方向外側に向けて反射され、外部に出射される。よって、脚部４４０に入射した光が拡散部によって拡散されるため、発光装置５００の上部に明部が生じにくい。
【００４８】
（効果）
以上のように、本実施の形態に係る発光装置２００、５００は、脚部３４０、４４０から出射した光が拡散部で拡散させられるため、脚部３４０、４４０から出射した光が発光装置２００、５００の直上部に向かうことを抑制できる。よって、発光装置２００、４００の直上部に明部が生じることがない。
【産業上の利用可能性】
【００４９】
本発明に係る発光装置および面光源装置は、例えば、液晶表示装置のバックライトや一般照明などに適用できる。
【符号の説明】
【００５０】
１００  面光源装置
１００’  表示装置
１０７  表示部材
１１０  筐体
１１２  底板
１１４  天板
１２０  光拡散板
２００、２００Ａ、５００  発光装置
２１０  基板
２２０  発光素子
３００、３００Ａ、４００  光束制御部材
３１０、３１０Ａ  入射面
３１２  凹部
３２０、３２０Ａ  出射面
３２０ａ  第１出射面
３２０ｂ  第２出射面
３２０ｃ  第３出射面
３３０  裏面
３３１  第１内面
３３２  第２内面
３３３、３３３Ａ  凸条
３３６、３３６Ａ  第１傾斜面
３３７、３３７Ａ  第２傾斜面
３３８  稜線
３４０、３４０Ａ、４４０  脚部
３４１、４４１  台座部
３４２  接触部
３５０  鍔部
ＣＡ  光束制御部材の中心軸
ＯＡ  発光素子の光軸
【図１】
2019046649.tif 000003
【図２】
2019046649.tif 000004
【図３】
2019046649.tif 000005
【図４】
2019046649.tif 000006
【図５】
2019046649.tif 000007
【図６】
2019046649.tif 000008
【図７】
2019046649.tif 000009
【図８】
2019046649.tif 000010
【図９】
2019046649.tif 000011
【図１０】
2019046649.tif 000012